【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
ネットワークを介して、複数の画像処理装置と、少なくとも１つの情報処理装置とが互いに接続された画像処理システムであって、
各画像処理装置は、該画像処理装置のリソースの状態を管理するリソース管理手段と、該リソース管理手段と通信して前記リソースの状態に関する情報を受信すると共に、ジョブを受信してその進行状況をモニタする仲介手段と、を含み、
各画像処理装置の仲介手段と通信して前記複数の画像処理装置のリソースの状態を管理し、入力されたジョブを分割して前記複数の画像処理装置のうち、分割したジョブを分配する画像処理装置を決定するジョブ分配手段と、
前記情報処理装置に対してユーザが入力した要求をジョブに分割し、前記ジョブ分配手段によって決定された画像処理装置に分配するタスク管理手段と、
前記ジョブ分配手段によって管理される各画像処理装置のリソースの状態変化を表す履歴情報を格納する履歴格納手段と、
を備えることを特徴とする画像処理システム。
【請求項２】
前記ジョブ分配手段は、前記履歴格納手段に格納された履歴情報に基づいて、前記分割したジョブを分配する画像処理装置を決定することを特徴とする請求項１に記載の画像処理システム。
【請求項３】
前記履歴格納手段は、前記履歴情報として、予め設定された時間における時刻履歴と、前記予め設定された時間よりも長い複数の日に渡る期間履歴とを履歴情報として格納することを特徴とする請求項１又は２に記載の画像処理システム。
【請求項４】
前記履歴情報は、リソースがアイドル状態にある割合、予め設定された時間におけるアイドル状態の時間、及び投入されたジョブを中断せずに終了する割合をそれぞれ示す情報を含むことを特徴とする請求項１から３のいずれか１項に記載の画像処理システム。
【請求項５】
前記履歴格納手段に格納された履歴情報を出力させる出力手段を更に備えることを特徴とする請求項１から４のいずれか１項に記載の画像処理システム。
【請求項６】
前記画像処理装置は、ＭＦＰ（Multi Function Peripheral）であることを特徴とする請求項１から５のいずれか１項に記載の画像処理システム。
【請求項７】
前記画像処理装置は、プリンタであることを特徴とする請求項１から５のいずれか１項に記載の画像処理システム。
【請求項８】
ネットワークを介して、複数の画像処理装置と、少なくとも１つの情報処理装置とが互いに接続され、各画像処理装置が、該画像処理装置のリソースの状態を管理するリソース管理手段と、該リソース管理手段と通信して前記リソースの状態に関する情報を受信すると共に、ジョブを受信してその進行状況をモニタする仲介手段と、を含む、画像処理システムにおける分散処理方法であって、
各画像処理装置の仲介手段と通信して前記複数の画像処理装置のリソースの状態を管理し、入力されたジョブを分割して前記複数の画像処理装置のうち、分割したジョブを分配する画像処理装置を決定するジョブ分配工程と、
前記情報処理装置に対してユーザが入力した要求をジョブに分割し、前記ジョブ分配工程で決定された画像処理装置に分配するタスク管理工程と、
前記ジョブ分配工程で管理される各画像処理装置のリソースの状態変化を表す履歴情報を格納する履歴格納工程と、
を備えることを特徴とする画像処理システムにおける分散処理方法。
【請求項９】
複数の画像処理装置のリソースの状態の変化を表す履歴情報を格納する履歴格納手段と、
前記履歴情報に基づいて、ジョブを分割したサブジョブを分配する画像処理装置を前記複数の画像処理装置から決定するジョブ分配手段と、
前記サブジョブを前記ジョブ分配手段で決定された画像処理装置に分配するタスク管理手段と、
前記複数の画像処理装置のリソースの状態に従い前記履歴情報を更新する更新手段と、
を備えることを特徴とする情報処理装置。
【請求項１０】
前記更新手段により更新された前記履歴情報に基づいて、前記サブジョブを分配する画像処理装置を再設定する再設定手段をさらに備えることを特徴とする請求項９記載の情報処理装置。
【請求項１１】
前記サブジョブを分配した全ての画像処理装置から該サブジョブの処理完了の通知を受信すると、前記ジョブに対して予め指定された出力装置に対して、処理済のサブジョブを結合し前記ジョブに対する処理済ジョブとして生成し出力するよう制御する制御手段をさらに備えることを特徴とする請求項９記載の情報処理装置。
【請求項１２】
複数の画像処理装置のリソースの状態の変化を表す履歴情報を記憶部に格納する履歴格納工程と、
前記履歴情報に基づいて、ジョブを分割したサブジョブを分配する画像処理装置を前記複数の画像処理装置から決定するジョブ分配工程と、
前記サブジョブを前記ジョブ分配工程で決定された画像処理装置に分配するタスク管理工程と、
前記複数の画像処理装置のリソースの状態に従い前記履歴情報を更新する更新工程と、
を備えることを特徴とする情報処理方法。
【請求項１３】
前記更新工程により更新された履歴情報に基づいて、前記サブジョブを分配する画像処理装置を再設定する再設定工程をさらに備えることを特徴とする請求項１２記載の情報処理方法。
【請求項１４】
前記サブジョブを分配した全ての画像処理装置から該サブジョブの処理完了の通知を受信すると、前記ジョブに対して予め指定された出力装置に対して、処理済のサブジョブを結合し前記ジョブに対する処理済ジョブとして生成し出力するよう制御する制御工程をさらに備えることを特徴とする請求項１２記載の情報処理方法。
【請求項１５】
コンピュータに、
複数の画像処理装置のリソースの状態の変化を表す履歴情報を記憶部に格納する履歴格納工程と、
前記履歴情報に基づいて、ジョブを分割したサブジョブを分配する画像処理装置を前記複数の画像処理装置から決定するジョブ分配工程と、
前記サブジョブを前記ジョブ分配工程で決定された画像処理装置に分配するタスク管理工程と、
前記複数の画像処理装置のリソースの状態に従い前記履歴情報を更新する更新工程と、
を実行させるためのプログラム。
【手続補正２】
【補正対象書類名】明細書
【補正対象項目名】発明の名称
【補正方法】変更
【補正の内容】
【発明の名称】画像処理システム及び画像処理システムにおける分散処理方法、情報処理装置、情報処理方法並びにプログラム
【手続補正３】
【補正対象書類名】明細書
【補正対象項目名】００１５
【補正方法】変更
【補正の内容】
【００１５】
上記目的を達成する本発明の一態様としての画像処理システムにおける分散処理方法は、ネットワークを介して、複数の画像処理装置と、少なくとも１つの情報処理装置とが互いに接続され、各画像処理装置が、該画像処理装置のリソースの状態を管理するリソース管理手段と、該リソース管理手段と通信して前記リソースの状態に関する情報を受信すると共に、ジョブを受信してその進行状況をモニタする仲介手段と、を含む、画像処理システムにおける分散処理方法であって、
各画像処理装置の仲介手段と通信して前記複数の画像処理装置のリソースの状態を管理し、入力されたジョブを分割して前記複数の画像処理装置のうち、分割したジョブを分配する画像処理装置を決定するジョブ分配工程と、
前記情報処理装置に対してユーザが入力した要求をジョブに分割し、前記ジョブ分配工程で決定された画像処理装置に分配するタスク管理工程と、
前記ジョブ分配工程で管理される各画像処理装置のリソースの状態変化を表す履歴情報を格納する履歴格納工程と、を備えている。
【手続補正４】
【補正対象書類名】明細書
【補正対象項目名】００１６
【補正方法】変更
【補正の内容】
【００１６】
上記目的を達成する本発明の一態様としての情報処理装置は、複数の画像処理装置のリソースの状態の変化を表す履歴情報を格納する履歴格納手段と、前記履歴情報に基づいて、ジョブを分割したサブジョブを分配する画像処理装置を前記複数の画像処理装置から決定するジョブ分配手段と、前記サブジョブを前記ジョブ分配手段で決定された画像処理装置に分配するタスク管理手段と、前記複数の画像処理装置のリソースの状態に従い前記履歴情報を更新する更新手段と、を備える。
【手続補正５】
【補正対象書類名】明細書
【補正対象項目名】００１７
【補正方法】変更
【補正の内容】
【００１７】
上記目的を達成する本発明の一態様としての情報処理方法は、複数の画像処理装置のリソースの状態の変化を表す履歴情報を記憶部に格納する履歴格納工程と、前記履歴情報に基づいて、ジョブを分割したサブジョブを分配する画像処理装置を前記複数の画像処理装置から決定するジョブ分配工程と、前記サブジョブを前記ジョブ分配工程で決定された画像処理装置に分配するタスク管理工程と、前記複数の画像処理装置のリソースの状態に従い前記履歴情報を更新する更新工程と、を備える。
【手続補正６】
【補正対象書類名】明細書
【補正対象項目名】００１８
【補正方法】変更
【補正の内容】
【００１８】
上記目的を達成する本発明の一態様としてのプログラムは、コンピュータに、複数の画像処理装置のリソースの状態の変化を表す履歴情報を記憶部に格納する履歴格納工程と、前記履歴情報に基づいて、ジョブを分割したサブジョブを分配する画像処理装置を前記複数の画像処理装置から決定するジョブ分配工程と、前記サブジョブを前記ジョブ分配工程で決定された画像処理装置に分配するタスク管理工程と、前記複数の画像処理装置のリソースの状態に従い前記履歴情報を更新する更新工程と、を実行させる。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】